(57)【特許請求の範囲】
【請求項１】
本体ケースの内側壁に沿って配設されて，熱源機からの温水と空気とを熱交換させる熱交換器と，
浴室又は脱衣室の空気を前記熱交換器を介して循環させ，４側辺近傍に設けられた第１〜第４吹出窓から吹出す循環装置と，
前記本体ケースを，少なくとも前記熱交換器及び前記循環装置が配設される加熱室と前記循環装置を制御する制御部が配設される制御室とに区画して，前記加熱室の雰囲気が前記制御室に侵入しないようにする仕切板と，
前記本体ケースの内壁と前記熱交換器とが対向して形成された空間であって，該熱交換器からの温風を吹出す第１〜第３吹出窓につながる空間及び前記加熱室と制御室とが連通することなく第４吹出窓を加熱室に連通させ当該第４吹出口からも温風を送風させる温風ガイドとを備え，
前記温風ガイドは側壁の一つが開口されて温風導入口をなすと共に前記第４吹出窓に対向する面が開口されて該第４吹出窓につながる箱体であり，かつ前記制御部を収納する制御ケースの蓋が裏面に配設されていると共に，
前記温風ガイドが脱着自在に設けられ，かつ，当該温風ガイドの裏面に前記制御ケースの蓋が固着されて，当該温風ガイドを取外すことにより前記制御ケースが開放するようにしたことを特徴とする浴室暖房乾燥機。
【発明の詳細な説明】
【０００１】
【発明の属する技術分野】
本発明は，浴室や脱衣室（以下，浴室等という）を４方向吹出により暖房又は乾燥を行うことが可能な浴室暖房乾燥機に関する。
【０００２】
【従来の技術】
一般住宅における浴室等の温度は，まだ誰も入浴していない場合には，外気温とさほど変らないため，高齢者のように環境適応力が低下した人にとっては，冬場等における急激な温度変化が大きなヒートショックとなり，急激な血圧変動を引き起し死亡事故が発生することがある。
【０００３】
一方，近年住宅事情の変化により，浴室等の換気を十分に行うことができない場合があり，浴室等の壁や天井にカビが発生し易く，当該浴室等を乾燥できる手段が望まれている。
【０００４】
更に，住宅事情の変化により，洗濯物を乾かすための物干場を確保することが困難な場合も少なくなく，浴室等を物干場として使用することが提案されている。
【０００５】
かかる要求に対して，例えば特開平９−６６１９９号公報におけるような浴室暖房乾燥機が提案されている。
【０００６】
上記公報にかかる浴室暖房乾燥機１０は，図２０及び図２１に示すように，熱源機１１からの温水が循環する熱交換器１２，浴室等の空気を当該熱交換器１２を介して循環させるクロスフローファン１３，浴室等の空気を換気するための換気用ファン１４，クロスフローファン１３や換気用ファン１４に電力を供給する電源ブロック１８等を有している。
【０００７】
そして，当該浴室暖房乾燥機１０は，浴室等の天井に設けられた開口に設置され，天井裏で温水配管１６や排気ダクト１５が接続された構成となっている。
【０００８】
浴室暖房乾燥機１０，温水配管１６及び排気ダクト１５等の据付施工及びこれらのメンテナンスは，開口に隣接して設けられた点検口１７から天井裏に手を伸して，時には天井裏に入り込んで行うようになっている。
【０００９】
なお，浴室等に限らず一般的な部屋は，化粧板が野縁等により支持されて形成される天井，その上に設けらてネダ等により支持された天井（例えば，２階の床となるもの）とが存在し，これらで挟まれた空間が天井裏を構成している。そこで，本明細書では化粧板により貼られた天井を浴室天井等と記載し，その上の天井を本天井と記載する。
【００１０】
【発明が解決しようとする課題】
しかしながら，上記構成にかかる浴室暖房乾燥機１０は，温風の吹出しをクロスフローファン１３により行うため，吹出方向が一方向吹出となって浴室等内に大きな温度分布が生じる問題があった。
【００１１】
図２２は，かかる一方向吹出の場合について浴室の温度分布をシュミュレーションした結果を示している。同図からわかるように，浴室等の主要空間を体温（３６度）前後に設定すると，吹出口近傍の温度を４０度以上にしなければならない。
【００１２】
このことは，浴室温度が低いことによるヒートショックについては予防できるが，逆に高温によるヒートショックによりのぼせて転倒したりする危険がある。
【００１３】
また，温風は浴室等の壁に当らない構成なので，入浴者が浴室等の壁に触れて冷たい思いをしたり，浴室等の乾燥を行う場合には乾燥効率が悪くなる問題がある。
【００１４】
さらに，近年施工される家屋の浴室等は，規格寸法（例えば，１坪タイプ等）が多く，また浴室天井等に用いられる化粧板も規格寸法のものが多くなっている。従って，浴室暖房乾燥機１０や点検口１７を最適な場所に設けることが困難となる問題がある。
【００１５】
即ち，浴室等には，浴槽は勿論，戸や窓等が設けられており，これらに依存して温度分布が決るため，浴室暖房乾燥機の設置位置を決定する際には，これらの位置や大きさ等を勘案して最適位置に設ける必要がある。
【００１６】
このような最適位置の決定は，実際の温度分布を想定して施工する必要があるため，据付施工にはこれらの知識や経験のある作業者が不可欠となって，作業性を低下させる要因となると共に施工費用が高くなる問題がある。
【００１７】
また，最適位置を決定しても，当該最適位置が浴室天井の隅であったり化粧板の継目（メジ）の位置と一致しない場合には不体裁（意匠が悪くなる）になるので，最適位置を取るか体裁を取るかを選択しなければならなくなる問題がある。
【００１８】
また，上記公報にかかる構成においては，保守点検時に，例えば電源ブロック１８やモータ等の交換にはマイナスドライバを用いて係合箇所を解除しなければならず，構成が複雑になると共に，作業性が悪くなったり，誤って電源ブロック１８やモータ等を落したりする恐れがある。
【００１９】
そこで，本発明は，４方向吹出を可能にして効率的に浴室等の暖房及び乾燥が行えるようにすると共に，点検口を用いなくても容易に浴室暖房乾燥機の据付及び電装部品の保守点検ができるようにした浴室暖房乾燥機を提供することを目的とする。
【００２０】
【課題を解決するための手段】
上記課題を解決するため，請求項１にかかる発明は，本体ケースの内側壁に沿って配設されて，熱源機からの温水と空気とを熱交換させる熱交換器と，浴室又は脱衣室の空気を熱交換器を介して循環させ，４側辺近傍に設けられた第１〜第４吹出窓から吹出す循環装置と，本体ケースを，少なくとも熱交換器及び循環装置が配設される加熱室と循環装置を制御する制御部が配設される制御室とに区画して，加熱室の雰囲気が制御室に侵入しないようにする仕切板と，本体ケースの内壁と熱交換器とが対向して形成された空間であって，該熱交換器からの温風を吹出す第１〜第３吹出窓につながる空間及び加熱室と制御室とが連通することなく第４吹出窓を加熱室に連通させ当該第４吹出口からも温風を送風させる温風ガイドとを備え，温風ガイドは側壁の一つが開口されて温風導入口をなすと共に第４吹出窓に対向する面が開口されて該第４吹出窓につながる箱体であり，かつ制御部を収納する制御ケースの蓋が裏面に配設されていると共に，温風ガイドが脱着自在に設けられ，かつ，当該温風ガイドの裏面に制御ケースの蓋が固着されて，当該温風ガイドを取外すことにより制御ケースが開放するようにしたことを特徴とする。
【００２２】
【発明の実施の形態】
本発明の実施の形態を図を参照して説明する。図１は本発明にかかる浴室暖房乾燥機の外観斜視図であり，図２はその組立分解斜視図，図３は浴室暖房乾燥機の本体の斜視図，図４は当該浴室暖房乾燥機を浴室及び脱衣室に据付けたときの様子を示す図，図５は浴室天井に据付けられた浴室暖房乾燥機の側面図である。
【００２３】
当該浴室暖房乾燥機１００は，浴室等の空気を温水と熱交換させて当該浴室等を暖めると共に換気する本体１０１，該本体１０１の前面（浴室等の側）に据付られたグリル１０２，本体１０１を天井に据付るための据付装置１０３等を有している。
【００２４】
据付装置１０３は，野縁１０４等に固定される野縁固定具１０５，該野縁固定具１０５に本体１０１を垂下して，当該本体１０１を固定する吊下部材１０６等により構成されている。
【００２５】
野縁固定具１０５は，図６に示すように方形をなすアングルで，各コーナ部には雌ネジ１０７が固着され，側板１０８に複数の貫通穴１０９が設けられて，野縁１０４にネジ止めする構成となっている。
【００２６】
吊下部材１０６は，図７に示すようにボルト１１０及びワッシャ１１１から構成されている。ボルト１１０は，先端に先端ネジ部１１２が形成されると共に後端に後端ネジ部１１３が形成され，かつ，これらの中間領域１１４の直径は，先端ネジ部１１２及び後端ネジ部１１３のネジ谷がなす直径より適宜小さくなっている。
【００２７】
一方，ワッシャ１１１は中央穴１１５まで切込１１６が形成されている。この中央穴１１５の寸法Ｄ１は，ボルト１１０の中間領域１１４の直径Ｄ２より適宜大きく，かつ，ボルト１１０の頭部がなす直径Ｄ３より適宜小さくなっている。
【００２８】
グリル１０２は図８に示すように，４方の周辺部に第１〜第４吹出口２４０〜２４３を開閉するように第１〜第４ルーバ２４４〜２４７が設けられ，当該第１〜第４ルーバ２４４〜２４７により温風の吹出方向を設定するようになっている。
【００２９】
一方，吸気パネル１１７の一端には，頭部が脚部より幅広に形成された概略「Ｔ」字状のヒンジ爪１２０が突設され，対向する端部には開閉ボタン１２１が設けられている。また，吸気パネル１１７の裏面（本体１０１側）の対向する端部には，それぞれ図示しないフィルタ支持爪が設けられてフィルタが脱着可能になっている。
【００３０】
図９は本体１０１の内部構成を示す斜視図で，当該本体１０１は浴室等の空気を吸気して，これを温風にした後，再度浴室等に送風する加熱部１２８，該加熱部１２８からの温風を４つの第１〜第４吹出口２４０〜２４３に導く導風部１６１，浴室等の空気等を換気する換気部１３０，加熱部１２８や換気部１３０を駆動制御する制御部１３１等を有し，これらが本体ケース１３２内に収納されている。
【００３１】
なお，本体ケース１３２内は，仕切板１３３により加熱部１２８等が収納される加熱室と換気部１３０や制御部１３１等が収納される制御室とに区画されて，少なくとも制御室には浴室等の湿度の高い空気が侵入しないようになっている。
【００３２】
加熱部１２８は，図１０に示すように，３辺からなる概略「コ」字状に形成されて，浴室等の空気を温水配管１３７を介して熱源機１３６から循環してきた温水と熱交換させる熱交換器１３８，浴室等の空気を吸気して熱交換器１３８を介して循環させる吐出す循環用送風機１３９等により構成されている。
【００３３】
導風部１６１は，図１１及び図１２に示すように，第１〜第３吹出窓１６２〜１６４が形成されて加熱室をカバーするように設けられた加熱室カバー１２６，第４吹出口２４３と位置が一致するように第４吹出窓１６５が設けられて制御室をカバーする制御室カバー１２７，加熱室と制御室とが連通することなく，第４吹出窓１６５を加熱室に連通させる温風ガイド１６６等により構成されている。
【００３４】
制御室カバー１２７と仕切板１３３とに間には，通気性が無く，かつ，弾性変形できるスポンジやゴム等の仕切板シール材１６７が配設されて，加熱室の湿度の高い空気が制御室に侵入しないようになっている。
【００３５】
制御室カバー１２７には，図１２に示すように，第４吹出口２４３と位置が一致するように第４吹出窓１６５が設けられると共に，後述する換気用送風機１７３に吸気される空気の換気用空気通路１７４及び換気吸気口１７５が形成され，また当該制御室カバー１２７の裏面には，温風ガイド１６６が固着されるようになっている。
【００３６】
温風ガイド１６６は，側壁の一つが開口されて温風導入口１７６をなすと共に上面が開口されてなる箱体で，第４吹出窓１６５が位置する制御室カバー１２７の裏面に固着されて，温風導入口１７６から導入された温風が上面の開口を介して第４吹出口２４３から吹出されるようになっている。
【００３７】
制御部１３１は，図１３〜図１５に示すような金属製等の耐熱部材からなる制御部ケース２０２，図１６及び図１７に示すような該制御部ケース２０２に収納されて循環用送風機１３９や換気用送風機１７３に電力を供給して制御する電装部品が据付られた電装部品支持部材２０３等を有している。
【００３８】
図１３は制御部ケース２０２の正面側面図，図１４は図１３における矢視Ｆから見たときの側面図，図１５は図１３における矢視Ｇから見たときの上面図である。また，図１６は電装部品支持部材２０３の側面図，図１７は図１６における矢視Ｊから見たときの側面図である。
【００３９】
なお，制御部ケース２０２には，蓋２０４が設けられ，当該蓋２０４は温風ガイド１６６の裏面に固着されている（図１２参照）。従って，制御部１３１の保守等においては，温風ガイド１６６を取外すだけで制御部１３１の蓋２０４を取ることが可能になっている。
【００４０】
電装部品支持部材２０３の側面上端には抜防止用突起２０５が設けられると共に，正面下端には落下防止用爪２０６が設けられている。また，制御部ケース２０２の側面上端には抜防止用突起係合穴２０７が設けられると共に，正面に落下防止用爪係止２０８が設けられている。
【００４１】
この抜防止用突起２０５は，電装部品支持部材２０３の端部に設けられた山状突起で，その頂部が電装部品支持部材２０３を制御部ケース２０２に正しく収納した際に，制御部ケース２０２の抜防止用突起係合穴２０７に填り込むことにより，電装部品支持部材２０３が制御部ケース２０２から抜落ちないようにしている。
【００４２】
そして，電装部品支持部材２０３を制御部ケース２０２から引抜く時は，抜防止用突起２０５の開放端２０９をケース内側に引き，抜防止用突起２０５と抜防止用突起係合穴２０７との係合を解除することにより行う。
【００４３】
なお，制御部１３１の保守点検時（浴室暖房乾燥機１００は浴室天井に据付られている）は，不用意に抜防止用突起２０５と抜防止用突起係合穴２０７との係合を解除すると電装部品支持部材２０３が落下して，破損してしまうようなことが起り得る。
【００４４】
このような事態を防止するために，電装部品支持部材２０３が所定位置まで抜けたときに落下防止用爪２０６が落下防止用爪係止２０８に係合するように設けられている。
【００４５】
この落下防止用爪係止２０８は，図１５からもわかるように，制御部ケース２０２の正面側面の一部をケース外側に向って膨らませて形成された円弧状部２１０，該円弧状部２１０の端部を制御部ケース２０２と切離すことにより形成された円弧状端部２１１とにより構成されている。
【００４６】
従って，電装部品支持部材２０３が収納されている時は，落下防止用爪２０６は円弧状部２１０内に位置して制御部ケース２０２と接触しないが，落下すると落下防止用爪２０６が円弧状端部２１１に填り込んでそれ以上の落下が防止されるようになっている。
【００４７】
無論，電装部品の検査や交換等があり得るので，そのときは落下防止用爪２０６が円弧状端部２１１に係止される直前まで電装部品支持部材２０３を抜出し，その後円弧状端部２１１より下の本体ケース１３２部分を適宜広げて円弧状端部２１１に落下防止用爪２０６が係止されないようにして引出せばよい。
【００４８】
次に，上記構成の浴室暖房乾燥機１００の据付手順及び保守点検手順を図４に示す浴室と脱衣室とに浴室暖房乾燥機１００を据付，熱源機１３６からの温水は脱衣室の浴室暖房乾燥機１００に供給される場合を例に説明する。
【００４９】
また，浴室暖房乾燥機１００の据付は，既存住宅に据付る場合であって，浴室天井及び脱衣室天井の野縁１０４の間隔が６０ｃｍの場合について説明する。しかし，本発明は，これらに限定されるもので無く，新築住宅に据付けてもよいことは明らかである。
【００５０】
なお，野縁１０４には化粧天井板が固定されて，当該化粧天井板のメジの位置が野縁１０４の位置となっているものとする。
【００５１】
このような前提で据付手順や保守点検手順を説明するが，浴室等及び脱衣室における浴室暖房乾燥機１００の共通する据付手順等は，これらの区別を行わないで説明する。
【００５２】
先ず，浴室暖房乾燥機１００を据付るための据付開口２１２を浴室天井等に設ける。当該浴室暖房乾燥機１００の本体ケース１３２の寸法は例えば５３ｃｍとし，据付開口２１２は例えば５５ｃｍの正方形とする。また，グリル１０２の寸法は野縁１０４の間隔より広い寸法で，例えば６１ｃｍとする。
【００５３】
規格住宅における野縁１０４間の最小幅が６０ｃｍであるので，上記寸法に設定するならば，どのような規格住宅でも据付けることができるようになり，野縁１０４の間を広げたりする作業及びそれに伴うコスト不要になる。
【００５４】
熱源機１３６からの温水配管１３７を脱衣室の浴室暖房乾燥機１００まで配管する。このとき，温水配管１３７は後述する理由から適宜長めに配管する。また，換気ダクト２１６を据付開口２１２の近傍まで配設しておく。さらに制御線２１３を配線しておく。
【００５５】
次に，野縁１０４に野縁固定具１０５を固定する。そして，野縁固定具１０５の雌ネジ１０７に，ボルト１１０の先端ネジ部１１２を螺合させて，当該ボルト１１０が据付開口２１２から吊下がった状態にしておく。
【００５６】
このような状態が完了した後，図１８に示すように，浴室暖房乾燥機１００の本体１０１を持上げ，当該本体１０１の周辺４隅に設けられた吊下穴１７７にボルト１１０を通す。この吊下穴１７７はボルト１１０の頭より適宜大きく，かつ，ワッシャ１１１より小さく形成されている。
【００５７】
そして，ワッシャ１１１を切込１１６からボルト１１０に挿入し，当該ボルト１１０の頭にワッシャ１１１を当接させて本体１０１を下げる。吊下穴１７７はワッシャ１１１より小さいので，本体１０１はワッシャ１１１に当接して中吊状態となる。図１９は，このときの様子を示す断面図である。
【００５８】
浴室等及び脱衣室の浴室暖房乾燥機１００をこのような中吊状態にした後，温水配管１３７の接続及び制御線２１３の接続を行う。
【００５９】
温水配管１３７は，適度にフレキシブルな樹脂管等が用いられ，かつ，長めに配管されているので，当該温水配管１３７の端部を浴室側等に引出して給排水部２３０に接続する。
【００６０】
このとき熱源機１３６からの温水配管１３７は脱衣室側の浴室暖房乾燥機１００の給排水部２３０に接続し，浴室側の浴室暖房乾燥機１００は脱衣室側の浴室暖房乾燥機と並列に接続する。
【００６１】
これにより温水配管１３７及び制御線２１３の接続が完了し，次に本体１０１を所定位置に固定する。当該本体１０１の固定は，ボルト１１０の先端ネジ部１１２が雌ネジ１０７を越えるまで回して，雌ネジ１０７が中間領域１１４に位置するようにする。そこで，本体１０１及びボルト１１０を押上げて，後端ネジ部１１３と雌ネジ１０７とを螺合させることにより行う。
【００６２】
本体１０１が所定位置に固定された後，制御室カバー１２７を取外し（予め取外しておいてもよい），本体ケース１３２の内側から換気ダクト２１６を当該本体ケース１３２に引込むようにして接続する。
【００６３】
そして，グリル１０２を本体１０１にネジ止めし，４つの第１〜第４ルーバ２４４〜２４７の角度を温風が適宜所望の方向に送風されるように調整して浴室暖房乾燥機１００の据付作業が完了する。
【００６４】
なお，据付装置１０３の状態，据付開口２１２の形成状態或は化粧天井板の固定状態等により，本体１０１が化粧天井板のメジと平行にならない場合がある。このとき，本体ケース１３２の端部とメジとは近接しているので，多少の非平行状態でも目立ってしまい微調整が必要になる。
【００６５】
しかし，本発明にかかるグリル１０２の寸法は，化粧天井板より大きめに設定されているので，かかる天井化粧板のメジが隠されて多少の非平行状態でも目立なくすることができるようになっている。
【００６６】
このようにして据付られた浴室暖房乾燥機１００の保守点検を行うときは，上述した据付手順を遡ることにより可能である。
【００６７】
例えば，フィルタ１２５の交換や洗浄を行う場合，または他の部材に比べて故障頻度の高い制御部１３１を保守点検する場合は以下のように行われる。
【００６８】
フィルタ１２５を交換するときは，グリル１０２の開閉ボタン１２１を押して，当該開閉ボタン１２１と係合部１１９との係合を解除する。これにより，吸気パネル１１７がヒンジ爪１２０を中心に回転して浴室側に観音開きする。そこで，フィルタ１２５をフィルタ支持爪から外して交換，洗浄する。
【００６９】
一方，制御部１３１を保守点検する場合には，グリル１０２を本体１０１に固定しているネジを取り，当該グリル１０２を取外し，制御室カバー１２７を取外す。
【００７０】
当該制御室カバー１２７の裏面には，温風ガイド１６６が固着されているので，制御室カバー１２７を取外すことにより制御部ケース２０２を開けることが可能になる。
【００７１】
そこで，抜防止用突起２０５と抜防止用突起係合穴２０７との係合を解除する。これにより，電装部品支持部材２０３は所定位置まで降り，そして落下防止用爪２０６が落下防止用爪係止２０８に係合して停止する。
【００７２】
電装部品支持部材２０３を完全に取外したい場合には，落下防止用爪２０６と落下防止用爪係止２０８との係合を解除する。これにより，電装部品支持部材２０３の交換や修理等を行うことが可能になる。
【００７３】
【発明の効果】
以上説明したように請求項１にかかる発明によれば，本体ケースの内側壁に沿って配設されて，熱源機からの温水と空気とを熱交換させる熱交換器と，浴室又は脱衣室の空気を熱交換器を介して循環させ，４側辺近傍に設けられた第１〜第４吹出窓から吹出す循環装置と，本体ケースを，少なくとも熱交換器及び循環装置が配設される加熱室と循環装置を制御する制御部が配設される制御室とに区画して，加熱室の雰囲気が制御室に侵入しないようにする仕切板と，本体ケースの内壁と熱交換器とが対向して形成された空間であって，該熱交換器からの温風を吹出す第１〜第３吹出窓につながる空間及び加熱室と制御室とが連通することなく第４吹出窓を加熱室に連通させ当該第４吹出口からも温風を送風させる温風ガイドとを備え，温風ガイドは側壁の一つが開口されて温風導入口をなすと共に第４吹出窓に対向する面が開口されて該第４吹出窓につながる箱体であり，かつ制御部を収納する制御ケースの蓋が裏面に配設されていると共に，温風ガイドが脱着自在に設けられ，かつ，当該温風ガイドの裏面に制御ケースの蓋が固着されて，当該温風ガイドを取外すことにより制御ケースが開放するようにしたので，温風ガイドを取外すだけで制御ケースの蓋が取外せて容易に制御部を保守点検することができるようになる。
【図面の簡単な説明】
【図１】本発明の実施の形態の説明に適用される浴室暖房乾燥機の斜視図である。
【図２】浴室暖房乾燥機の分解斜視図である。
【図３】グリルを取除いたときの浴室暖房乾燥機本体の斜視図である。
【図４】浴室及び脱衣室に浴室暖房乾燥機を設けたときの模式図である。
【図５】浴室暖房乾燥機を据付けたときの側面図である。
【図６】野縁固定具の構成図である。
【図７】吊下部材の構成図である。
【図８】グリルの斜視図である。
【図９】浴室暖房乾燥機本体の内部構成を示す斜視図である。
【図１０】熱交換器の構成図である。
【図１１】加熱室カバーの上面図である。
【図１２】制御室カバーの斜視図である。
【図１３】制御部ケースの側面図である。
【図１４】制御部ケースの側面図である。
【図１５】制御部ケースの底面図である。
【図１６】電装部品支持部材の側面図である。
【図１７】電装部品支持部材の側面図である。
【図１８】浴室暖房乾燥機本体の取付状況を示す模式図である。
【図１９】浴室暖房乾燥機本体を据付けたときの側面図である。
【図２０】従来の技術の説明に適用される浴室暖房乾燥機を浴室に取付けたときの模式図である。
【図２１】従来の技術の説明に適用される浴室暖房乾燥機の構成図である。
【図２２】従来の技術の説明に適用される一方向吹出の温度分布図である。
【符号の説明】
１００  浴室暖房乾燥機
１０１  本体
１０２  グリル
１０３  据付装置
１０４  野縁
１２８  加熱部
１３０  換気部
１３２  本体ケース
１３６  熱源機
１３８  熱交換器
１３９  循環用送風機
１６１  導風部
１６２〜１６５  第１〜第３吹出窓
１６６  温風ガイド
２０４  蓋
２４０  第１吹出口
２４１  第２吹出口
２４２  第３吹出口
２４３  第４吹出口
【図１】
0003939031.tif 000002
【図２】
0003939031.tif 000003
【図３】
0003939031.tif 000004
【図４】
0003939031.tif 000005
【図５】
0003939031.tif 000006
【図６】
0003939031.tif 000007
【図７】
0003939031.tif 000008
【図８】
0003939031.tif 000009
【図９】
0003939031.tif 000010
【図１０】
0003939031.tif 000011
【図１１】
0003939031.tif 000012
【図１２】
0003939031.tif 000013
【図１３】
0003939031.tif 000014
【図１４】
0003939031.tif 000015
【図１５】
0003939031.tif 000016
【図１６】
0003939031.tif 000017
【図１７】
0003939031.tif 000018
【図１８】
0003939031.tif 000019
【図１９】
0003939031.tif 000020
【図２０】
0003939031.tif 000021
【図２１】
0003939031.tif 000022
【図２２】
0003939031.tif 000023